(57)【要約】【課題】操作性の向上を図った開閉装置を提供する。【解決手段】装置本体２に固定されるメインプレート１１と、表示部３に固定されるアームプレート２０と、メインプレート１１に対してアームプレート２０を閉位置と開位置との間で回転可能に軸承すると共に装置本体２の内部に配設されたヒンジ機構５０と、アームプレート２０にスライド可能に配設されておりヒンジ機構５０に近接した第１の位置とヒンジ機構５０に対して前記第１の位置より離間した第２の位置との間でスライドするスライドプレート３０と、スライドプレート３０を第１の位置に向けて付勢する線ばね４０とを有し、メインプレート１１に対してアームプレート２０が開閉する際、表示部３が装置本体２と係合することによりアームプレート２０に対してスライドプレート３０が前記第１の位置と第２の位置との間でスライドする構成とする。【選択図】図５
2014137455.tif 000002
【特許請求の範囲】
【請求項１】
第１の筐体に固定されるメインプレートと、
第２の筐体に固定されるアームプレートと、
前記メインプレートに対して前記アームプレートを閉位置と開位置との間で回転可能に軸承するヒンジ機構と、
前記アームプレートにスライド可能に配設されたスライドするスライドプレートと、
前記スライドプレートを付勢する付勢手段とを有し、
前記付勢手段が前記スライドプレートを介して前記第２の筐体を付勢して前記第１の筐体に当接させると共に、
前記メインプレートに対して前記アームプレートが開閉する際、前記第１の筐体と前記第２の筐体の当接状態に応じて、前記スライドプレートが前記アームプレートに対してスライドする構成としたことを特徴とする開閉装置。
【請求項２】
前記ヒンジ機構を前記第１の筐体内に配設したことを特徴とする請求項１記載の開閉装置。
【請求項３】
前記付勢手段を線ばねとしたことを特徴とする請求項１又は２記載の開閉装置。
【請求項４】
前記第１の筐体はカメラの装置本体であり、前記第２の筐体は前記カメラの液晶モニターが設けられた可動部であることを特徴とする請求項１乃至３のいずれか一項に記載の開閉装置。
【発明の詳細な説明】
【技術分野】
【０００１】
本発明は開閉装置に係り、第１及び第２の筐体を開閉するのに用いる開閉装置に関する。
【背景技術】
【０００２】
従来から、デジタルカメラ、ビデオカメラ、携帯電話機等の電子装置では、撮影した画面を確認するために液晶ディスプレイ等を装置本体に組み込んだ構成のものが知られている。また、種々の角度から液晶ディスプレイを見ることを可能とするため、表示部を装置本体に対して移動可能な構成とした電子装置も提供されている。
【０００３】
この種の電子装置は、通常時において表示部は装置本体の背面に収納され、この収納状態で表示部の液晶ディスプレイを視認できる構成となっている。また、撮影位置等の撮影条件によっては、表示部が収納状態では液晶ディスプレイを視認できない場合が生じる。このような場合には、表示部を装置本体から移動させ、これにより上記のような撮影条件であっても、表示部を視認できるよう構成されている。
【０００４】
ところで近年、デジタルカメラ等の電子装置で自分自身を撮影すること（いわゆる自分撮り）が行われるようになってきている。このような場合、表示部が装置本体の背面に収納された状態では、装置本体の前方に位置している撮影者は液晶ディスプレイを視認することができない。このため、撮影者が装置本体の前方に位置していても、液晶ディスプレイを視認できる位置まで表示部を移動できるように構成された電子装置が提供されている（特許文献１）。
【先行技術文献】
【特許文献】
【０００５】
【特許文献１】特開２００６−１３８９５９号公報
【発明の概要】
【発明が解決しようとする課題】
【０００６】
しかしながら、液晶ディスプレイが配設された表示部は比較的大きな厚さを有するため、表示部を装置本体に対して回転軸を中心に単に回転させる構成では、表示部及び装置本体の回転軸に近い側のコーナー部同士が回転に伴い当接し、表示部をスムーズに回転させることができなくなる。
【０００７】
また、開閉機構が搭載される電子装置は、デザイン性の向上を図る点から表示部と装置本体を接続するヒンジを外部から見えないようにすることが望まれている。この場合、上記の問題は特に重要となる。
【０００８】
また、この当接を回避するために特許文献１に開示されているように、表示部と装置本体との間に二軸平行ヒンジを用いることが考えられる。しかしながら、二軸ヒンジを用いた構成では、二つの回転軸を有するため表示部の移動動作が不安定になり、またその開閉動作も二つの動作を含む２アクションの動作となり操作性が悪いという問題点があった。る。
【０００９】
本発明は上記の点に鑑みてなされたものであり、操作性の向上を図ることができる開閉装置を提供することを目的とする。
【課題を解決するための手段】
【００１０】
開示の一態様である開閉機構は、
第１の筐体に固定されるメインプレートと、
第２の筐体に固定されるアームプレートと、
前記メインプレートに対して前記アームプレートを閉位置と開位置との間で回転可能に軸承するヒンジ機構と、
前記アームプレートにスライド可能に配設されたスライドするスライドプレートと、
前記スライドプレートを付勢する付勢手段とを有し、
前記付勢手段が前記スライドプレートを介して前記第２の筐体を付勢して前記第１の筐体に当接させると共に、
前記メインプレートに対して前記アームプレートが開閉する際、前記第１の筐体と前記第２の筐体の当接状態に応じて、前記スライドプレートが前記アームプレートに対してスライドする構成としたことを特徴とする。
【発明の効果】
【００１１】
開示の開閉装置によればアームプレートの開閉を１アクションで行うことが可能となるため操作性の向上を図ることができる。
【図面の簡単な説明】
【００１２】
【図１】図１は、本発明の一実施形態である開閉装置の分解斜視図である。
【図２】図２（Ａ）は本発明の一実施形態である開閉装置の閉状態を示す斜視図であり、図２（Ｂ）は本発明の一実施形態である開閉装置が設けられた電子装置の閉状態を示す斜視図である。
【図３】図３（Ａ）は本発明の一実施形態である開閉装置の開状態を示す斜視図であり、図３（Ｂ）は本発明の一実施形態である開閉装置が設けられた電子装置の開状態を示す斜視図である。
【図４】図４は、本発明の一実施形態である開閉装置の動作及び本発明の一実施形態である開閉装置が設けられた電子装置の動作を説明するための側面である。
【図５】図５は、本実施形態の変形例である開閉装置を示す斜視図である。
【発明を実施するための形態】
【００１３】
次に、本発明の実施の形態について図面と共に説明する。
【００１４】
図１〜図３は、本発明の一実施形態である開閉装置１０を説明するための図である。図１は開閉装置１０の分解斜視図であり、図２はアームプレート２０をメインプレート１１に対して閉じた閉状態における開閉装置１０及びこれを設けた電子装置１の斜視図であり、図３はアームプレート２０をメインプレート１１に対して開いた開状態における開閉装置１０及びこれを設けた電子装置１の斜視図である。
【００１５】
本実施形態に係る開閉装置１０は、例えば図２（Ｂ）及び図３（Ｂ）に示すような電子装置１に設けられ、装置本体２に対して表示部３を開閉移動させる機能を奏するものである。
【００１６】
まず、開閉装置１０の説明に先立ち、開閉装置１０が設けられる電子装置１について説明する。本実施形態では、電子装置１としてデジタルカメラを例に挙げて説明する。なお、本発明の適用は、デジタルカメラに限定されるものではなく、ビデオカメラ、携帯電話機等の装置本体２に対して回転する可動部３を有する電子装置に広く適用できるものである。
【００１７】
電子装置１は、装置本体２（請求項に記載の第１の筐体に相当する）と表示部３（請求項に記載の第２の筐体に相当する）とを有している。図２（Ｂ）及び図３（Ｂ）は電子装置１の背面側を示しており、この背面側には表示部３及びスイッチ６等が設けられている。また電子装置１の正面側には、撮影を行うための撮像レンズ等（図示せず）が配設されている。
【００１８】
表示部３は液晶ディスプレイ５を有しており、よって撮像レンズを介して取り込まれた画像は、液晶ディスプレイ５に表示される。よって撮影者は、この液晶ディスプレイ５により撮影しようとする画面を確認することができる。
【００１９】
この表示部３は、一般的な撮影を行う時は図２（Ｂ）に示すように表示部３の表示部収納部４内に収納されており、よって表示部３と装置本体２は一体化した状態となっている。なお以下の説明において、電子装置１及び開閉装置１０の表示部３が表示部収納部４内に収納された状態を閉状態というものとする。
【００２０】
ところで、前記のように近年では電子装置で自分自身を撮影すること（いわゆる、自分撮り）が行われるようになってきており、電子装置１及び開閉装置１０はこれに対応した構成となっている。具体的には、表示部３は開閉装置１０により装置本体２に対して図中Ａ１，Ａ２方向に移動（回転）可能な構成とされている。
【００２１】
図３（Ｂ）は、装置本体２に対して表示部３を開いた状態を示している。なお以下の説明において、電子装置１及び開閉装置１０の装置本体２に対して表示部３を開いた状態を開状態というものとする。
【００２２】
この開状態では、装置本体２に設けられた撮像レンズ及び液晶ディスプレイ５はいずれも正面側に位置した（向いた）状態となっている。よって、いわゆる自分撮りを行う場合、撮影者は自己を液晶ディスプレイ５で確認しながら撮影を行うことが可能となる。
【００２３】
次に、主に図１を用いて、開閉装置１０の構成について説明する。開閉装置１０は、メインプレート１１、アームプレート２０、スライドプレート３０、線ばね４０、及びヒンジ機構５０等を有している。
【００２４】
メインプレート１１は金属板材を筐体状にプレス成型したものであり、メインプレート本体１２及び側板部１３等が一体的に形成された構成とされている。このメインプレート１１は、例えば図示しない固定ネジ等を用いて装置本体２に固定される。
【００２５】
メインプレート本体１２は略長方形状を有しており、その外周三辺は下方に折り曲げられることにより側板部１３を形成している。この３つの側板部１３の内、アームプレート本体２１の短辺側に位置する一対の側板部１３は、アームプレート本体２１に対して図中矢印Ｙ２方向に延出して延出部１３ａを形成している。
【００２６】
この延出部１３ａには、後述するヒンジピン５１が装着される軸孔１４が形成されている。また、図中矢印Ｘ１，Ｘ２方向に離間した一対の延出部１３ａの間には、空間部１６が形成されている。この空間部１６は、後述するアーム部２３がその内部において回転できるよう構成されている。
【００２７】
アームプレート２０は金属板材をプレス成型したものであり、アームプレート本体２１、ガイドレール部２２、アーム部２３等を一体的に形成した構成とされている。アームプレート本体２１は略長方形状を有しており、その短辺側の両側縁はガイドレール部２２とされている。
【００２８】
また、アームプレート本体２１の矢印Ｙ２方向側の両端部には、アーム部２３が形成されている。このアーム部２３は、側面視で略コ字形状を有している。アーム部２３の一端部はアームプレート本体２１に一体的に接続されており、他端部にはヒンジピン５１が挿通される軸孔２４が形成されている。
【００２９】
更に、アームプレート本体２１には、ストッパー部材３６が配設されている。このストッパー部材３６は、アームプレート本体２１のＹ１方向側の両端部に配設されている。
【００３０】
各ストッパー部材３６は一対の孔を有しており、その一方の孔がアームプレート本体２１に形成された凸部２８に嵌着される。また、他方の孔には固定ピン３７（ネジ等を用いることも可能）がアームプレート本体２１に形成された挿通孔２９を介して嵌着される。これによりストッパー部材３６はアームプレート２０に固定される。
【００３１】
また、アームプレート本体２１の略中央位置には、線ばね４０（請求項に記載の付勢手段に相当する）が配設される。線ばね４０は、平面視でＭ字に似た形状を有している（図２（Ａ）参照）。この線ばね４０の両端部は、スプリングピン２５をピン孔２６に嵌着することによりアームプレート本体２１（アームプレート２０）に固定される。
【００３２】
線ばね４０は、後述するようにアームプレート２０とスライドプレート３０との間で弾性力を付勢するものである。なお、本実施形態では弾性力を付勢手段として線ばね４０を用いているが、他の付勢手段を用いることも可能である。他の付勢手段としては、例えばトーションばね、樹脂ばね、複数の小コイルをユニット化したばねユニット等を用いることができる。
【００３３】
スライドプレート３０は金属板材をプレス成型したものであり、スライド本体部３１とスライドガイド部３３等を有している。このスライドプレート３０は、アームプレート２０上を図中矢印Ｙ１，Ｙ２方向にスライドするものである。
【００３４】
スライド本体部３１は矢印Ｘ１，Ｘ２方向に長く延在する形状を有しており、矢印Ｙ１方向側の側辺には台形状の窪み部３５が形成されている。このスライドプレート本体３１の窪み部３５の縁部は、前記した線ばね４０が係合する係合部３８を構成する（図２参照）。
【００３５】
また、スライドプレート本体３１の両側部（矢印Ｘ１，Ｘ２方向側の側部）には、スライドガイド部３３が形成されている。このスライドガイド部３３は、スライドプレート本体３１の両側部を折曲形成することにより、内部にコ字状溝３４が形成された構成とされている。また、このコ字状溝３４の内部には、摺動性を向上させることを目的として図示しない樹脂製ガイドが装着されている。
【００３６】
このスライドガイド部３３のコ字状溝３４には、アームプレート２０のガイドレール部２２が挿入される。ガイドレール部２２は、コ字状溝３４に配設された樹脂製ガイド内に移動可能に支持される。よって、スライドプレート３０はアームプレート２０に対して矢印Ｙ１，Ｙ２方向に円滑かつ安定した状態でスライドする。
【００３７】
このスライドを行う際、前記したスライドプレート本体３１の矢印Ｙ２方向側の両端部は、アームプレート２０に形成されたストッパー部２７と当接する第１の当接部３１ａとされている。また、スライドプレート本体３１の矢印Ｙ１方向側の両端部（窪み部３４の両側部）は、アームプレート２０に配設されるストッパー部材３６と当接する第２の当接部３１ｂとされている。よって、スライドプレート３０は、第１の当接部３１ａがストッパー部２７と当接する位置と、第２の当接部３１ｂがストッパー部材３６と当接する位置との間でスライド可能な構成となっている。
【００３８】
ヒンジ機構５０は、メインプレート１１とアームプレート２０を回転可能に接続するものである。このヒンジ機構５０は、ヒンジピン５１及びクリックプレート５３等により構成されている。
【００３９】
次に、開閉装置１０の組み立て方法について説明する。
【００４０】
開閉装置１０の組み立ては、アームプレート２０をメインプレート１１に取り付ける工程と、スライドプレート３０をアームプレート２０に取り付ける工程とを有している。この各工程は、いずれを先に実施してもよく、また同時に進行させることとしてもよい。以下の説明では、まずスライドプレート３０をアームプレート２０に取り付け、その後にアームプレート２０をメインプレート１１に取り付ける方法を例に挙げて説明する。
【００４１】
開閉装置１０を組み立てるには、まず樹脂製ガイドをコ字状溝３４の内部に固定する。この固定方法としては、スライドプレート３０へのはめ込みによる固定方法、又はスライドプレート３０へインサート成型により固定する方法等を用いることができる。
【００４２】
樹脂製ガイドがコ字状溝３４の内部に固定されると、スライドプレート３０をアームプレート２０に装着する。具体的には、コ字状溝３４内に設けられた樹脂製ガイドとガイドレール部２２とを位置決めした上で、ガイドレール部２２をコ字状溝３４（樹脂製ガイド）に挿入する。これにより、ガイドレール部２２とスライドガイド部３３はスライド可能に係合した状態となる。
【００４３】
次に、ストッパー部材３６を固定ピン３７を用いてアームプレート２０に固定する。これにより、スライドプレート３０は、第１の当接部３１ａがストッパー部２７と当接する位置と、第２の当接部３１ｂがストッパー部材３６と当接する位置との間でスライドを行う構成となり、スライドプレート３０がアームプレート２０から離脱することが防止される。
【００４４】
次に、スプリングピン２５を用いて線ばね４０をアームプレート２０に固定する。この際、線ばね４０がスライドプレート３０の係合部３８と係合するようにする。これにより、線ばね４０の弾性力により、スライドプレート３０は矢印Ｙ２方向に付勢される。しかしながら、第１の当接部３１ａがストッパー部２７と当接することにより、スライドプレート３０のそれ以上のスライドは規制されている。
【００４５】
上記のようにスライドプレート３０がアームプレート２０に取り付けられると、続いてこのスライドプレート３０をメインプレート１１に取り付ける。
【００４６】
スライドプレート３０をメインプレート１１に取り付けるには、まずアームプレート２０のアーム部２３に形成された軸孔２４と、メインプレート１１の延出部１３ａに形成された軸孔１４との軸合わせ（位置決め）を行う。この位置決めが終了すると、軸孔１４及び軸孔２４に対し、内側から外側に向けてヒンジ機構５０を構成するヒンジピン５１を挿入する。そして、ヒンジピン５１の軸孔１４から外側に突出した先端部に、クリックプレート５３を固定する。
【００４７】
これにより、アームプレート２０及びこれに取り付けられたスライドプレート３０は、ヒンジ機構５０によりメインプレート１１に対して回転可能に軸承させた構成となる。また、ヒンジ機構５０は、いわゆるフリーストップのヒンジであり、メインプレート１１に対してアームプレート２０を任意の回転角度で保持することができる。なお、ヒンジ機構５０は必ずしもフリーストップのヒンジとする必要はなく、例えばメインプレート１１に溝等を形成することにより、開位置と閉位置、また開位置から閉位置との間の所定角度においてクリック感を発生させる構成としてもよい。
【００４８】
以上の処理により、開閉装置１０は組み立てられる。この組み立て状態において、図２（Ａ）に示すように、スライドプレート３０は線ばね４０に付勢されてアーム部２３と当接する位置まで移動しており、またアームプレート２０はメインプレート１１に対してヒンジ機構５０を中心として矢印Ａ１，Ａ２方向に移動可能な構成となっている。
【００４９】
次に、上記構成とされた開閉装置１０の動作について、図２，図３に加えて図４を用いて説明する。なお、図４は開閉装置１０の動作を順次示す側面図である。
【００５０】
以下の説明目では、閉状態から開状態までの動作について説明する。図２及び図４（Ａ）は、メインプレート１１に対してアームプレート２０が閉じられた閉状態を示している。この時、アームプレート２０及びこれに配設されたスライドプレート３０は、図中矢印Ａ２方向に回転しており、側面視で各メインプレート１１，２０，３０は略重なった状態となっている。なお、以下の説明において、この閉状態におけるアームプレート２０の位置を閉位置というものとする。
【００５１】
また閉状態では、スライドプレート３０は線ばね４０の弾性力により図中矢印Ｂ２方向にスライドし、第１の当接部３１ａがストッパー部２７に当接することによりその移動が規制されている。なお以下の説明において、この閉状態におけるスライドプレート３０の位置を第１の位置というものとする。
【００５２】
図２（Ｂ）は、閉状態における電子装置１を示している。この閉状態において、表示部３は装置本体２に形成された表示部収納部４内に収納されている。表示部３の図中矢印Ｙ１，Ｙ２の寸法は、装置本体２の図中矢印Ｙ１，Ｙ２の寸法と略等しく設定されている。これにより表示部３の形状を大きくすることができ、よって液晶ディスプレイ５も大型化のものを用いることができる。また、表示部３が装置本体２に収納された状態において、装置本体２と表示部３との間に段差や間隙が形成されることがないため、デザイン性の向上を図ることができる。
【００５３】
なお、図４（Ａ）に矢印Ｐ２で示す表示部３のコーナー部（表示部コーナー部Ｐ２という）と、図４（Ａ）に矢印Ｐ１で示す装置本体２のコーナー部（装置本体コーナー部Ｐ１という）に注目すると、各コーナー部Ｐ１，Ｐ２は近接した状態となっている。
【００５４】
開閉装置１０が設けられた電子装置１を閉状態から開状態とするには、装置本体２に対して表示部３を矢印Ａ１方向に回転させる。これにより、表示部３に固定されたアームプレート２０は、装置本体２に固定されたメインプレート１１に対して矢印Ａ１方向に回転する。
【００５５】
この閉状態からアームプレート２０が矢印Ａ１に回転すると、約５°回転した時点で装置本体コーナー部Ｐ１と表示部コーナー部Ｐ２は当接し、その後表示部３（アームプレート２０）は各コーナー部Ｐ１，Ｐ２が接触した状態を維持しつつ回転する。
【００５６】
そして表示部３（アームプレート２０）を開く動作を続けることにより、図４（Ｂ）〜図４（Ｅ）に示すように表示部３（アームプレート２０）は装置本体２（メインプレート１１）に対して漸次開かれて行く。この間、装置本体コーナー部Ｐ１と表示部コーナー部Ｐ２とは当接した状態を維持する。
【００５７】
ここで仮にスライドプレート３０が存在せず、アームプレート２０に表示部３を固定した構成（即ち、アームプレート２０に対して表示部３が移動しない構成）を想定すると、装置本体コーナー部Ｐ１と表示部コーナー部Ｐ２とが当接した場合、表示部３（アームプレート２０）はそれ以上の回転ができなくなってしまう。
【００５８】
これに対して本実施形態に係る開閉装置１０は、表示部３が取り付けられたスライドプレート３０がアームプレート２０に対してスライド可能な構成とされている。更に、線ばね４０により、スライドプレート３０（表示部３）は矢印Ｂ２方向に向けて（ヒンジ機構５０の配設側に向けて）移動するよう付勢されている。
【００５９】
よって、表示部３（アームプレート２０）が矢印Ａ１方向に回転し、これに伴い表示部コーナー部Ｐ２が装置本体コーナー部Ｐ１に当接すると、スライドプレート３０が線ばね４０の弾性力に抗してアームプレート２０に対して矢印Ｂ１方向（ヒンジ機構５０から離間する方向）に移動する。よって、スライドプレート３０を固定する表示部３も図中矢印Ｂ１方向に移動する。
【００６０】
このように、表示部コーナー部Ｐ２が装置本体コーナー部Ｐ１から離間する方向に表示部３が移動することにより、表示部３（アームプレート２０，スライドプレート３０）は装置本体２（メインプレート１１）に対して回転を維持することができる。
【００６１】
また表示部３の回転に際し、線ばね４０の弾性付勢力（ばね力）により表示部３は矢印Ｂ２方向に移動付勢されている。よって装置本体２に対して表示部３が回転する際、線ばね４０の弾性付勢力により表示部コーナー部Ｐ２は装置本体コーナー部Ｐ１に押し付けられた状態で回転を行う。
【００６２】
しかしながら、装置本体２と表示部３が当接する部位である装置本体コーナー部Ｐ１及び表示部コーナー部Ｐ２は、それぞれ所定の曲率を有した湾曲面とされている。このため、線ばね４０により押し付けられた状態で回転しても、装置本体コーナー部Ｐ１と表示部コーナー部Ｐ２とは略線接触した状態で接しているため、各コーナー部１，Ｐ２の間で過大な磨耗や摩擦力が発生するようなことはない。
【００６３】
図３及び図４（Ｆ）は、表示部３（アームプレート２０）が装置本体２（メインプレート１１）に対して１８０°回転した開状態を示している（開状態におけるアームプレート２０の位置を開位置という）。
【００６４】
本実施形態に係る開閉装置１０では、閉位置に対して表示部３が約１８０°回転した位置において、スライドプレート３０が矢印Ｂ１方向に最も移動した状態となっている（この時のスライドプレート３０の位置を第２の位置という）。
【００６５】
この開状態において、表示部３に設けられた液晶ディスプレイ５は正面側（図中、Ｚ２方向側が正面側となる）に向いた状態となっており、よっていわゆる自分撮りを行うことができる。また開状態において、表示部コーナー部Ｐ２は線ばね４０の弾性力により表示部コーナー部Ｐ２に押し付けられた状態となっており、よって表示部３は開状態に安定しておりガタツキが生じるようなことはない。
【００６６】
なお、開状態にある表示部３（開位置に位置したアームプレート２０）を閉状態に閉じる動作は、上記した開き動作の反対の動作となるため、その説明は省略する。
【００６７】
上記のように、本実施形態に係る開閉装置１０では、アームプレート２０が閉位置から開位置まで回動する間において、装置本体コーナー部Ｐ１と表示部コーナー部Ｐ２との距離が変化しても、装置本体コーナー部Ｐ１と装置本体コーナー部Ｐ１の当接状態に応じて表示部３（スライドプレート３０）がアームプレート２０に対して移動することにより、この距離の変化を吸収することができる。よって、従来のように装置本体コーナー部Ｐ１と表示部コーナー部Ｐ２が当接するようなことはなく、表示部３を閉状態から開状態まで円滑に開くことができる。
【００６８】
また、本実施形態の開閉装置１０では、アームプレート２０を閉位置と開位置との間で開閉させる動作は、単にアームプレート２０が固定された表示部３を回転させるだけの一つの動作（１アクションの動作）であり他の動作を伴わない。よって、開閉装置１０が配設された電子装置１において、表示部３の開閉を操作性よく容易に行うことが可能となる。
【００６９】
また、本実施形態に係る開閉装置１０では、アームプレート２０はメインプレート１１に対して一つのヒンジピン５１を中心として回転するため、例えば平行二軸ヒンジ等を用いた構成に比べ、１アクションで開閉操作を行うきことが可能となり操作性の向上を図ることができると共に、表示部３及びアームプレート２０の回転を安定して行わせることができる。
【００７０】
更に、本実施形態ではアーム部２３を側面視で略コ字形状に形成することにより、ヒンジ機構５０を装置本体２の内部に配設した構成とした。よって、ヒンジ機構を装置本体の外部に突出して設ける構成に比べ、電子装置１のデザイン性を高めることができる。
【００７１】
なお、上記した説明において用いた「装置本体コーナー部Ｐ１」は、装置本体２のコーナー部分のみ（角の部分のみ）のみを指すのではなく、表示部３の回転に伴い表示部コーナー部Ｐ２が装置本体２と当接する所定の範囲を指すものとする。
【００７２】
図５は、上記した実施形態に係る開閉装置１０の変形例である開閉装置８０を示している。なお、図５において前記した実施形態の説明に用いた図１〜図４に示した構成と対応する構成については同一符号を付し、その説明は省略するものとする。
【００７３】
上記した実施形態に係る開閉装置１０は、装置本体２に対する表示部３の回転が図中矢印Ｘ１，Ｘ２で示す方向と平行な回転軸Ｘａ（図２（Ａ）に示す）を中心して行われる構成とされていた。
【００７４】
これに対して本変形例では、装置本体２に対する表示部３の回転が図中矢印Ｙ１，Ｙ２で示す方向と平行な回転軸Ｙａ（図５に示す）を中心して行われる構成としたことを特徴とするものである。本変形例のように、装置本体２に対して表示部３を横方向に開く構成としても、上記した実施形態と同様の効果を得ることができる。
【００７５】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００７６】
例えば、上記実施形態では線ばね４０をアームプレート２０に配設した構成を示したが、線ばね４０をスライドプレート３０に配設することも可能である。
【符号の説明】
【００７７】
１，８０  電子装置
２  装置本体
３  表示部
４  表示部収納部
５  液晶ディスプレイ
１０  開閉装置
１１  メインプレート
１２  メインプレート本体
１３  側板部
１４  軸孔
２０  アームプレート
２１  アームプレート本体
２２  ガイドレール部
２３  アーム部
２４  軸孔
２５  スプリングピン
２７  ストッパー部
３０  スライドプレート
３１  スライドプレート本体
３３  スライドガイド部
３４  コ字状溝３４
３６  ストッパー部材
３８  係合部
４０  線ばね４０
５０  ヒンジ機構
５１  ヒンジピン
【図１】
2014137455.tif 000003
【図２】
2014137455.tif 000004
【図３】
2014137455.tif 000005
【図４】
2014137455.tif 000006
【図５】
2014137455.tif 000007